(57)【特許請求の範囲】
【請求項１】
エレベータ昇降路を包囲する建築構造体及びエレベータレールに取り付けられるレール連結枠のいずれかに固定して取り付けられる上位プレートと、
前記上位プレートの下方に配置され、建築構造体及びレール連結枠のいずれかに固定して取り付けられる下位プレートと、
前記上位プレートと前記下位プレートとの間に配置される中位プレートとを備え、
前記上位プレートと前記中位プレートとが地震発生時にエレベータ昇降路の左右方向にスライド可能に連結され、前記下位プレートと前記中位プレートとが地震発生時にエレベータ昇降路の左右方向にスライド可能に連結されていることを特徴とするエレベータのフェッシャープレート。
【請求項２】
前記フェッシャープレートは、更に、
エレベータ昇降路の左右方向に長く開口する長穴が上下方向に少なくとも２段設けられる第１と第２の取付金を備え、
前記上位プレートが、前記第１の取付金の少なくとも最上段の長穴より前記第１の取付金に取り付けられ前記第１の取付金を介して前記中位プレートに連結され、前記中位プレートが、前記第１の取付金の少なくとも最下段の長穴より前記第１の取付金に取り付けられ前記第１の取付金を介して前記上位プレートに連結され、
前記中位プレートが、前記第２の取付金の少なくとも最上段の長穴より前記第２の取付金に取り付けられ前記第２の取付金を介して前記下位プレートに連結され、前記下位プレートが、前記第２の取付金の少なくとも最下段の長穴より前記第２の取付金に取り付けられ前記第２の取付金を介して前記中位プレートに連結されていることを特徴とする請求項１に記載のエレベータのフェッシャープレート。
【請求項３】
前記フェッシャープレートは、
前記上位プレートと前記下位プレートとの間に、エレベータ昇降路の上下方向に２つ以上の中位プレートが配置され、
前記上位プレートと最上位の中位プレートとが地震発生時にエレベータ昇降路の左右方向にスライド可能に連結され、前記下位プレートと最下位の中位プレートとが地震発生時にエレベータ昇降路の左右方向にスライド可能に連結され、中位プレート同士が地震発生時にエレベータ昇降路の左右方向にスライド可能に連結されていることを特徴とする請求項１又は２に記載のエレベータのフェッシャープレート。
【発明の詳細な説明】
【技術分野】
【０００１】
本発明は、免震建築用エレベータのフェッシャープレートに関する。
【背景技術】
【０００２】
建築基準法によりかご敷居からフェッシャープレートまでの寸法を「１２５ｍｍ以下とすること」が制定されているが、免震構造の建築物では地震発生時にこの基準を満足しない場合が生じ得る。
免震構造の建築物では、地震発生時に免震建築体で揺れを吸収する。その際、基部建築体と免震建築体で相対変位が発生するため、エレベータかご出入口からフェッシャープレートまでの寸法が１２５ｍｍ以下であるという基準を満足せず、エレベータ乗場でない位置でエレベータかごの扉が開いた場合に利用者が落下する危険性があった。
また、地震発生時の基部建築体と免震建築体の相対変位により、エレベータかごとフェッシャープレートが接近しすぎてエレベータとフェッシャープレートが接触する危険性もある。
そこで、地震発生時でも、エレベータとフェッシャープレートの距離を維持できるようなエレベータのフェッシャープレートが必要である。
【０００３】
このような課題に対して、例えば、特開２００４−９１１９７号公報及び特開２００７−８６１０号公報に示される技術がある。
【特許文献１】特開２００４−９１１９７号公報
【特許文献２】特開２００７−８６１０号公報
【発明の開示】
【発明が解決しようとする課題】
【０００４】
特開２００４−９１１９７号公報に記載の構成ではフェッシャープレートを取り付けるための部品点数が多く、現場での据付作業に時間を要するという課題があった。
また、特開２００７−８６１０号公報に記載の構成は、階間に１枚のフェッシャープレートを取り付ける構造であるため、階間の距離（つまり、フェッシャープレートの長さ）が２５００ｍｍ程度までは対応できるが、階間の距離（フェッシャープレートの長さ）が４０００ｍｍを超えるような場合には加工性、据付作業性が悪くなるという課題があった。
【０００５】
この発明は、上記のような課題を解決することを主な目的の一つとしており、地震発生時に生じる変位に追従してエレベータからの距離を一定に保つとともに、部品点数が少なく据付作業が迅速に行え、また、階間の距離が長くても取付が容易なフェッシャープレートを実現することを主な目的とする。
【課題を解決するための手段】
【０００６】
本発明に係るエレベータのフェッシャープレートは、
エレベータ昇降路を包囲する建築構造体及びエレベータレールに取り付けられるレール連結枠のいずれかに固定して取り付けられる上位プレートと、
建築構造体及びレール連結枠のいずれかに固定して取り付けられる下位プレートと、
前記上位プレートと前記下位プレートとの間に配置される中位プレートとを備え、
前記上位プレートと前記中位プレートとがエレベータ昇降路の左右方向にスライド可能に連結され、前記下位プレートと前記中位プレートとがエレベータ昇降路の左右方向にスライド可能に連結されていることを特徴とする。
【発明の効果】
【０００７】
本発明に係るフェッシャープレートは、左右方向にスライド可能な上位プレート、中位プレート及び下位プレートにより構成されているため、地震発生時に生じる変位に追従してエレベータからの距離を一定に保つことができ、また、階間が長くなる場合でも、分割構造により取り付けが容易である。
【発明を実施するための最良の形態】
【０００８】
実施の形態１．
図１は、本実施の形態に係るフェッシャープレート１を免震建築体１２のある昇降路３に設置した状態を側方（エレベータのかご２０の進行方向を上下方向とする）から示す図である。
前述したように、フェッシャープレート１は、階間（上下の乗場１０の間）に配置され、エレベータかご２０出入口と建築体の建築壁２３との間に空間がある場合でも、フェッシャープレート１が建築壁２３とエレベータかご２０の出入口との間にあることで、エレベータかご２０（かご前面線２１）との距離を１２５ｍｍ以下に保ち、事故などにより、昇降路３内でドアが開いた場合でも、利用者が昇降路３に落下することを防止する。
図１では、階間にレール連結枠２が配置されている。レール連結枠２には、図２に示すように、エレベータレール４及び釣り合いおもりレール２２が取り付けられている。図２は、レール連結枠２を上方（又は下方）から示す図である。
図１では、レール連結枠２の上下でフェッシャープレート１が１枚ずつ、階間で２枚のフェッシャープレート１が取り付けられている。
地震が発生した場合は、エレベータレール４と建築体の間で相対変位が発生し、フェッシャープレート１とエレベータかご２０との距離が１２５ｍｍを超えることになる。そのため、フェッシャープレート１はエレベータ昇降路３を包囲する建築構造体だけに取り付けるのではなく、上下部のどちらかをエレベータレール連結枠２に取り付け、反対側を建築構造体側に取り付けることで、地震によりエレベータかご２０の奥行き方向の揺れが発生しても、フェッシャープレート１がレール連結枠２を介してエレベータレール４の動きに追従し、エレベータかご２０とフェッシャープレート１の距離を１２５ｍｍ以下に保つことを可能にしている。
具体的には、図１では、上側のフェッシャープレート１は、上部が上階のトーガード１４部分で建築構造体に固定して取り付けられ、また、下部がレール連結枠２に固定して取り付けられている。
また、下側のフェッシャープレート１は、上部がレール連結枠２に固定して取り付けられ、下部が建築構造体に固定して取り付けられている。
なお、フェッシャープレート１とレール連結枠２との取り付け（Ｃ部）は、例えば、図８に示すように、レール連結枠２に溶接された取付金２４にフェッシャープレート１を溶接して取り付けることが考えられる。
また、フェッシャープレート１と建築構造体との取り付け（Ｄ部）は、例えば、図９に示すように、フェッシャープレート１の上端又は下端を取付金３３及びボルト３１、ナット３２を介してアンカーボルト３４により建築壁２３側に取り付けることが考えられる。
なお、フェッシャープレート１とレール連結枠２との取り付け方法、フェッシャープレート１と建築壁２３との取り付け方法は、図８及び図９に示すものに限らない。
【０００９】
また、免震建築体１２付近は出入口が無い場合があり、階間が通常よりも長くなる場合がある。そこで、フェッシャープレート１を上下に分割構造にし、長い階間の場合でもフェッシャープレート１の取り付けを容易にする。
地震による揺れに追従するために、フェッシャープレート１は地震により発生する変位を吸収する必要がある。変位を吸収する構造として、本実施の形態に係るフェッシャープレート１は図３に示す構造を有する。
つまり、本実施の形態に係るフェッシャープレート１は、建築構造体及びレール連結枠２のいずれかに固定して取り付けられる上位プレート１ａと、建築構造体及びレール連結枠２のいずれかに固定して取り付けられる下位プレート１ｂと、上位プレート１ａと下位プレート１ｂとの間に配置される中位プレート１ｃとを備えている。
そして、図４に示すように、上位プレート１ａと中位プレート１ｃとがエレベータ昇降路３の左右方向にスライド可能に連結され、下位プレート１ｂと中位プレート１ｃとがエレベータ昇降路３の左右方向にスライド可能に連結されている。
つまり、図３に対して左右方向の揺れはフェッシャープレート１の連結部の可動取付金５に開けた長穴２６で左右方向にずれ、図４のように変形することで、揺れを吸収する。
図３及び図４の例では、各可動取付金５ａ、５ｂには、エレベータ昇降路３の左右方向に長く開口する長穴２６が上下方向に４段設けられる。上位プレート１ａは、ボルト８により上位２段の長穴２６より上側の可動取付金５ａに取り付けられこの上側の可動取付金５ａを介して中位プレート１ｃに連結され、中位プレート１ｃは、ボルト８により下位２段の長穴２６より上側の可動取付金５ａに取り付けられ上側の可動取付金５ａを介して上位プレート１ａに連結されている。
また、同様に、中位プレート１ｃは、ボルト８により上位２段の長穴２６より下側の可動取付金５ｂに取り付けられこの下側の可動取付金５ｂを介して下位プレート１ｂに連結され、下位プレート１ｂは、ボルト８により下位２段の長穴２６より下側の可動取付金５ｂに取り付けられ下側の可動取付金５ｂを介して中位プレート１ｃに連結されている。
なお、図５に示すように、各可動取付金５ａ、５ｂは、裏側（建築壁２３側）から、上位プレート１ａ、中位プレート１ｃ、下位プレート１ｂの各々を他のプレートに連結する。
また、フェッシャープレート１の裏面に補強１１を設け、補強１１を可動取付金５に通すことで、フェッシャープレート１と可動取付金５とを外れにくくしている。
図５は、フェッシャープレート１及び可動取付金５を上方（又は下方）から示す図である。
【００１０】
また、フェッシャープレート１の組立は図６及び図７のようにスペーサーを挟むことで、締結した場合でも可動できるようにしている。
図６は、図３に示すフェッシャープレート１と可動取付金５とを側方から示した図であり、また、フェッシャープレート１と可動取付金５の取り付け部分Ｂ部の構成部品を示している。また、図７は図３及び図６のＡ−Ａ断面図である。
また、図６及び図７に示すように、フェッシャープレート１と可動取付金５との間に防振ゴム６を挟むことで、エレベータの通常運転の微小な振動でフェッシャープレート１が変形（スライド）することや騒音が発生することを防止している。
また、図３に対して前後方向の揺れ（エレベータかごの奥行き方向の揺れ）はフェッシャープレート１全体の弾性変形により吸収する。
【００１１】
また、図３及び図４では、上位プレート１ａ、中位プレート１ｃ及び下位プレート１ｂの３枚のプレートで構成されるフェッシャープレート１について説明したが、中位プレート１ｃを上下方向に２枚以上配置し、４枚以上のプレートで構成されるようにしてもよい。
この場合は、上位プレート１ａと最上位の中位プレート１ｃとがエレベータ昇降路３の左右方向にスライド可能に連結され、下位プレート１ｂと最下位の中位プレート１ｃとがエレベータ昇降路の左右方向にスライド可能に連結され、中位プレート１ｃ同士がエレベータ昇降路の左右方向にスライド可能に連結されているようにする。
また、４枚以上のプレートで構成される場合も、上位プレート１ａ、中位プレート１ｃ及び下位プレート１ｂは、図３〜図７に示した構成により可動取付金５に取り付けられる。
【００１２】
このように、本実施の形態に係るフェッシャープレートは、免震建築物において、地震によりレールと建築壁との間に相対変位が発生しても、かご室との距離を１２５ｍｍ以下に保つことができる。
また、上下に分割する構造にすることによって、免震建築体付近に停止階が無く、フェッシャープレートを長くする必要がある場合や、レールへの固定箇所が少なく、フェッシャープレートが長くならざるを得ない場合に、工作や現場の据付の負荷を抑えることができる。
つまり、階間が長い場合でも、中位プレートの長さ、枚数を調節することにより、１枚の長いフェッシャープレートを取り付ける場合に比べて、取り付け作業の作業効率を向上させることができる。
【００１３】
以上、本実施の形態では、地震時にレールに大きな変位が生じる場合に、その変位に追従し、エレベータからの距離を一定に保つ、エレベータのフェッシャープレートについて説明した。
また、分割構造にすることで、階間が長くなる場合でも、取り付けを容易にする、エレベータのフェッシャープレートについて説明した。
【図面の簡単な説明】
【００１４】
【図１】実施の形態１に係るフェッシャープレートが配置されたエレベータ昇降路を側方から示す図。
【図２】実施の形態１に係るフェッシャープレートがレール連結枠に取り付けられている状態を示す図。
【図３】実施の形態１に係るフェッシャープレートの正面図。
【図４】実施の形態１に係るフェッシャープレートがスライドしている状態を示す図。
【図５】実施の形態１に係るフェッシャープレート及び可動取付金を上方から示す図。
【図６】実施の形態１に係るフェッシャープレート及び可動取付金を側方から示す図。
【図７】実施の形態１に係るフェッシャープレート及び可動取付金のＡ−Ａ断面図。
【図８】図１に示すＣ部の詳細を示す図。
【図９】図１に示すＤ部の詳細を示す図。
【符号の説明】
【００１５】
１  フェッシャープレート、１ａ  上位プレート、１ｂ  下位プレート、１ｃ  中位プレート、２  レール連結枠、３  昇降路、４  エレベータレール、５  可動取付金、５ａ  上側の可動取付金、５ｂ  下側の可動取付金、６  防振ゴム、７  ワッシャー、８  ボルト、９  ナット、１０  乗場、１１  補強、１２  免震建築体、１３  敷居、１４  トーガード、１５  スペーサー、２０  かご、２１  かご前面線、２２  釣り合いおもりレール、２３  建築壁、２４  取付金、２５  釣り合いおもり、２６  長穴、３１  ボルト、３２  ナット、３３  取付金、３４  アンカーボルト、３５  長穴。
【図１】
0005241205.tif 000002
【図２】
0005241205.tif 000003
【図３】
0005241205.tif 000004
【図４】
0005241205.tif 000005
【図５】
0005241205.tif 000006
【図６】
0005241205.tif 000007
【図７】
0005241205.tif 000008
【図８】
0005241205.tif 000009
【図９】
0005241205.tif 000010